(57)【要約】      （修正有）【課題】腰部、腹部、臀部を鍛える多機能運動健康器具を提供する。【解決手段】二本のレール３上にそれぞれ滑車を用いてレールに沿ってスライドするクッション架体４を嵌合し、クッション架体４上部には枢着ピンをクッション座面底部の孤形溝内にスライド可能状態で挿着し、レールの上端には左右に回転調節可能な支持ハンドル部２を固定し、支持ハンドル部２の左右にはそれぞれ肘クッションを備え、レールの前方エッジには支えて立たせるための支持部１を用い、前方が高く後方が低い傾斜状態で床面を支える。また支持ハンドル部２を回転調節して異なる角度にし、両手で支えて握る形態とする。並びにクッション座面５を固定するか、クッション座面５を回転調節して固定角度にするかを選択する。【選択図】図１
0003181647.tif 000002
【実用新案登録請求の範囲】
【請求項１】
支持部、支持ハンドル部、二本のレール、クッション架体、及びクッション座面の組み合わせによりなる多機能運動健康器具において、そのうち二本のレールはそれぞれ滑車を用いてレールに沿ってスライドするクッション架体を設け、クッション架体上部には枢着ピンをクッション座面底部の孤形溝内にスライド可能状態で挿着し、尚且つ調節つまみを定位孔に回転させて挿着してクッション座面を特定角度に固定し、レールの上端には螺着ねじを螺着盤体に係合させるための定位孔を備え、左右に回転調節して固定する支持ハンドル部の左右にはそれぞれ肘クッションを固定し、レールの前方エッジには支えて立たせるための支持部を用い、前方が高く後方が低い状態で床面を支えることを特徴とする多機能運動健康器具。
【請求項２】
前記レールの底部エッジにはストッパーを設け、クッション架体が下方にスライドするストロークを制限することを特徴とする請求項１に記載の多機能運動健康器具。
【考案の詳細な説明】
【技術分野】
【０００１】
本考案は多機能運動健康器具に関する。二本のレール上にそれぞれ滑車を用いてレールに沿ってスライドするクッション架体を嵌合し、クッション架体上部には枢着ピンをクッション座面底部の孤形溝内にスライド可能状態で挿着し、レールの上端には左右に回転調節可能な支持ハンドル部を固定し、支持ハンドル部の左右にはそれぞれ肘クッションを備え、レールの前方エッジには支えて立たせるための支持部を用い、前方が高く後方が低い傾斜状態で床面を支える。また支持ハンドル部を回転調節して異なる角度にし、両手で支えて握る形態とする。並びにクッション座面を固定するか、クッション座面を回転調節して固定角度にするかを選択する。使用者は両膝をクッション座面の上に置き、並びに両肘をそれぞれ肘クッション上に乗せ、さらに両膝、片膝で腰部と腹部に合わせてクッション座面を押し動かし、それに連動するクッション架体をレールに沿わせて前後にスライドさせるか、或いは同時にクッション座面を回転移動させて左右の回転運動を起こさせる。またレール底部エッジのストッパーによって動きを制限し、往復するスケートボードのような運動を起こさせるため、腰部、腹部、臀部、足部を鍛える多機能トレーニングが行える実用性を備える。
【背景技術】
【０００２】
飲食のバランスが崩れ、運動場所の確保や運動量が減少し、人々の健康に対する重要性が益々高まる中、これに応じて運動健康器具が生まれた。しかし一般には腰、腹、臀部のトレーニングを同時に行える器具は非常に少なく、あってもコストが非常に高く重量が重く、体積が大きくスペースを取り、異なる使用者と異なるレベルに応じての使用を調節できず、多機能性に欠ける等の欠点があるため、更なる研究開発の余地を備える。
【考案の概要】
【考案が解決しようとする課題】
【０００３】
以上の欠点に鑑み、本考案者は十数年間に渡って従事した運動器具の製作、設計の経験をもとに、研究、改善を捜し求め幾度にも及ぶ実験の末、本考案の多機能運動健康器具を生み出した。
【課題を解決するための手段】
【０００４】
本考案の主な目的は、多機能運動健康器具の提供にある。それは二本のレール上にそれぞれ滑車を用いてレールに沿ってスライドするクッション架体を嵌合し、クッション架体上部には枢着ピンをクッション座面底部の孤形溝内にスライド可能状態で挿着し、レールの上端には左右に回転調節可能な支持ハンドル部を固定し、支持ハンドル部の左右にはそれぞれ肘クッションを固定し、レールの前方エッジには支えて立たせるための支持部を用い、前方が高く後方が低い傾斜状態で床面を支える。また支持ハンドル部を回転調節して異なる角度にし、両手で支えて握る形態とし、並びにクッション座面を固定するか、クッション座面を回転調節して固定角度にするかを選択する。使用者は両膝をクッション座面の上に置き、並びに両肘をそれぞれ肘クッション上に乗せ、さらに両膝、片膝で腰部と腹部に合わせてクッション座面を押し動かし、それに連動するクッション架体をレールに沿わせて前後にスライドさせるか、或いは同時にクッション座面を回転移動させて左右の回転運動を起こさせる。またレール底部エッジのストッパーによって動きを制限し、往復するスケートボードのような運動を起こさせるため、腰部、腹部、臀部、足部を鍛える多機能トレーニングが行える実用性を備える。
【考案の効果】
【０００５】
本考案の多機能運動健康器具は、腰部、腹部、臀部、足部を鍛えるトレーニング効果を達成すると共に、異なる使用者及び異なるレベルでの使用効果を備える。
【図面の簡単な説明】
【０００６】
【図１】本考案実施例の立体図である。
【図２】本考案実施例の立体分解図である。
【図３】本考案実施例のクッション架体とクッション座面の立体分解図である。
【図４】本考案の使用実施例についての立体図である。
【図５】本考案の使用実施例についての立体図である。
【図６】本考案の使用実施例についての立体図である。
【図７】本考案の使用実施例についての立体図である。
【図８】本考案の使用実施例についての立体図である。
【図９】本考案の使用実施例についての立体図である。
【図１０】本考案の使用実施例についての立体図である。
【図１１】本考案の使用実施例についての立体図である。
【図１２】本考案の使用実施例についての立体図である。
【図１３】本考案の使用実施例についての立体図である。
【図１４】本考案の使用実施例についての立体図である。
【図１５】本考案の使用実施例についての立体図である。
【図１６】本考案の使用実施例についての立体図である。
【図１７】本考案の使用実施例についての立体図である。
【図１８】本考案の使用実施例についての立体図である。
【図１９】本考案の使用実施例についての立体図である。
【図２０】本考案の使用実施例についての立体図である。
【図２１】本考案の使用実施例についての立体図である。
【図２２】本考案の使用実施例についての立体図である。
【図２３】本考案の使用実施例についての立体図である。
【図２４】本考案の使用実施例についての立体図である。
【図２５】本考案の使用実施例についての立体図である。
【考案を実施するための形態】
【０００７】
本考案の構造及びその効果について、さらなる理解を助けるために、図面を参照とした実施例による詳細説明を行う。
【実施例】
【０００８】
図面に示すとおり本考案は主に、支持部１、支持ハンドル部２、レール３、クッション架体４、及びクッション座面５の組み合わせによりなる。そのうち二本のレール３はそれぞれ滑車３０を用いてレール３に沿ってスライドするクッション架体４を備え、クッション架体４上部には枢着ピン３１をクッション座面５底部の孤形溝３２内にスライド可能状態で挿着し、尚且つ調節つまみ４０を定位孔４１に回転させて挿着してクッション座面５を特定角度に固定する。レール３の上端には左右に回転調節可能な支持ハンドル部２を固定し、支持ハンドル部２の左右にはそれぞれ肘クッション２０を備え、レール３の前方エッジには支えて立たせるための支持部１を用い、前方が高く後方が低い状態で床面を支えて立つ。またレール３の底部エッジにはストッパー３４を設け、クッション架体４が下方にスライドするストロークを制限する。支持ハンドル部２に設けた螺着ねじ２１は、レール３の上端に係合させて螺着盤体３３の定位孔３５に螺着し、左右に回転調節して特定角度になるようにする。
【０００９】
実際に操作して使用する場合は、使用者がレール３を支えて立たせる支持部１を調整すると、前方が高く後方が低く傾斜して床面を支える形態となる。また調節つまみ４０を調整してクッション架体４とクッション座面５間の結合を固定させるか緩め、クッション座面５を固定するか或いはクッション座面５を回転調節して特定角度（30度、60度・になるよう左回転か右回転させる）に固定するかを選択し、螺着ねじ２１を用いてレール３上端の螺着盤体３３の定位孔３５に固定し、異なる角度（左回転か右回転して45度、60度・にする）になるように支持ハンドル部２を左右に回転調節し、両手で支えて握り持つ形態とすることができる。使用者は両膝をクッション座面５の上に置き、並びに両肘をそれぞれ肘クッション２０上に乗せ、さらに両膝、片膝で腰部と腹部に合わせてクッション座面５を押し動かし、それに連動するクッション架体４をレール３に沿って前後にスライドさせるか、或いは同時にクッション座面５を回転移動させて左右の回転運動を起こさせる。またレール３底部エッジのストッパー３４によって動きが制限され、往復するスケートボードのような運動を起こすため、腰部、腹部、臀部、足部を鍛える多機能トレーニングが行え、異なる使用者及び異なるレベルでの使用が可能となる。
【００１０】
図４、図５は支持ハンドル部２とクッション座面５をいずれも中央において固定し、両足をレール３に沿わせると同時に前後上下させるスライド運動を示す図である。また図６、図７は支持ハンドル部２とクッション座面５を中央に固定し、両足をレール３に沿わせて前後上下に交差させるスライド運動を示す図である。図８、図９は支持ハンドル部２を30度左回転させ、クッション座面５を中央に固定し、両足をレール３に沿わせると同時に前後上下させるスライド運動を示す図である。 図１０、図１１は支持ハンドル部２を60度左回転させ、クッション座面５を中央に固定し、両足をレール３に沿わせると同時に前後上下させるスライド運動を示す図である。図１２、図１３は支持ハンドル部２を30度右回転させ、クッション座面５を中央に固定し、両足をレール３に沿わせると同時に前後上下させるスライド運動を示す図である。図１４、図１５は支持ハンドル部２を60度右回転させ、クッション座面５を中央に固定し、両足をレール３に沿わせると同時に前後上下させるスライド運動を示す図である。図１６は支持ハンドル部２を中央に固定し、クッション座面５を45度左回転して固定し、両足をレール３に沿わせると同時に前後上下させるスライド運動を示す図である。図１７は支持ハンドル部２を中央に固定し、クッション座面５を45度右回転して固定し、両足をレール３に沿わせると同時に前後上下させるスライド運動を示す図である。図１８は支持ハンドル部２を30度左回転して固定し、クッション座面５を45度左回転して固定し、両足をレール３に沿わせると同時に前後上下させるスライド運動を示す図である。図１９は支持ハンドル部２を30度左回転して固定し、クッション座面５を45度右回転して固定し、両足をレール３に沿わせると同時に前後上下させるスライド運動を示す図である。図２０は支持ハンドル部２を60度左回転して固定し、クッション座面５を45度左回転して固定し、両足をレール３に沿わせると同時に前後上下させるスライド運動を示す図である。図２１は支持ハンドル部２を60度左回転して固定し、クッション座面５を45度右回転して固定し、両足をレール３に沿わせると同時に前後上下させるスライド運動を示す図である。図２２は支持ハンドル部２を30度右回転して固定し、クッション座面５を45度左回転して固定し、両足をレール３に沿わせると同時に前後上下させるスライド運動を示す図である。図２３は支持ハンドル部２を30度右回転して固定し、クッション座面５を45度右回転して固定し、両足をレール３に沿わせると同時に前後上下させるスライド運動を示す図である。図２４は支持ハンドル部２を60度右回転して固定し、クッション座面５を45度左回転して固定し、両足をレール３に沿わせると同時に前後上下させるスライド運動を示す図である。図２５は支持ハンドル部２を60度右回転して固定し、クッション座面５を45度右回転して固定し、両足をレール３に沿わせると同時に前後上下させるスライド運動を示す図である。
【００１１】
本考案の構造及び装置は、市場や刊行物上では嘗て見られず、腰部、腹部、臀部、足部を鍛えるトレーニング効果を達成すると共に、異なる使用者及び異なるレベルでの使用効果を備え、効果において顕著な向上が見られ、実用新案の要件を十分に満たすものである。
【００１２】
前述をまとめると、前述した実施例は本考案の一部実施例であるが、本考案を制限するために示したものではない。よって本考案の創作精神及び特徴に基づいて、若干の変化や修飾を加えたものはいずれも本実用新案の範囲内に含まれるものとする。
【符号の説明】
【００１３】
１  支持部
２  支持ハンドル部
３  レール
４  クッション架体
５  クッション座面
２０  肘クッション
２１  螺着ねじ
３０  滑車
３１  枢着ピン
３２  孤形溝
３３  螺着盤体
３４  ストッパー
３５  定位孔
４０  調節つまみ
４１  定位孔
【図１】
0003181647.tif 000003
【図２】
0003181647.tif 000004
【図３】
0003181647.tif 000005
【図４】
0003181647.tif 000006
【図５】
0003181647.tif 000007
【図６】
0003181647.tif 000008
【図７】
0003181647.tif 000009
【図８】
0003181647.tif 000010
【図９】
0003181647.tif 000011
【図１０】
0003181647.tif 000012
【図１１】
0003181647.tif 000013
【図１２】
0003181647.tif 000014
【図１３】
0003181647.tif 000015
【図１４】
0003181647.tif 000016
【図１５】
0003181647.tif 000017
【図１６】
0003181647.tif 000018
【図１７】
0003181647.tif 000019
【図１８】
0003181647.tif 000020
【図１９】
0003181647.tif 000021
【図２０】
0003181647.tif 000022
【図２１】
0003181647.tif 000023
【図２２】
0003181647.tif 000024
【図２３】
0003181647.tif 000025
【図２４】
0003181647.tif 000026
【図２５】
0003181647.tif 000027